(57)【要約】【課題】  サーフボード用の着脱可能なフィンを安全かつ容易に取り扱うことができる治具を提供すること。【解決手段】  本発明のサーフボード用の治具は、サーフボード１００のフィン２００が挿入される、開口部を伴う空洞部１１と、使用者によって把持され、フィン２００の着脱時に当該フィンと一体的に変位する把持部１２とを備える。また、把持部１２は、フィン２００の先端から、サーフボード１００と反対方向に突出していることを特徴とする。さらにまた、把持部１２は、複数の凹凸を備えることを特徴とする。さらにまた、空洞部１１は、フィン２００の形状に対応した形状であることを特徴とする。さらにまた、開口部は、凹部を具備して構成されることを特徴とする。さらにまた、把持部は、屈曲部を有し、先端に向かって窄んでいることを特徴とする。【選択図】  図３
2020059162.tif 000002
【特許請求の範囲】
【請求項１】
サーフボードのフィンが挿入される、開口部を伴う空洞部と、
使用者によって把持され、前記フィンの着脱時に当該フィンと一体的に変位する把持部と
を備える、サーフボード用の治具。
【請求項２】
前記把持部は、前記フィンの先端から、前記サーフボードと反対方向に突出していることを特徴とする、請求項１に記載の治具。
【請求項３】
前記把持部は、複数の凹凸を備えることを特徴とする、請求項１または２に記載の治具。
【請求項４】
前記空洞部は、前記フィンの形状に対応した形状であることを特徴とする、請求項１〜３のいずれか１項に記載の治具。
【請求項５】
前記開口部は、凹部を具備して構成されることを特徴とする、請求項１〜４のいずれか１項に記載の治具。
【請求項６】
前記把持部は、屈曲部を有し、先端に向かって窄んでいることを特徴とする、請求項１〜５のいずれか１項に記載の治具。
【発明の詳細な説明】
【技術分野】
【０００１】
本発明は、サーフボード用の治具に関する。
【背景技術】
【０００２】
サーフィンに用いられるサーフボードには、底面に１または２以上のフィンが備えられている。一般的なフィンは鋭い突起形状をしており、また、断面がエッジを有する形状であることから、サーフボードを運搬する際には、周囲への安全性を配慮する必要がある。【０００３】
サーフボードを安全に運搬するために、実開平０３−１００５９４号公報（特許文献１）には、扁平袋状カバー後部のカバー内部に空隙を設けたことを特徴とするサーフボード用カバーが開示されている。しかしながら、特許文献１のサーフボードカバーでは、サーフボード全体を覆うことから、カバーの付け外しに要する使用者の手間が大きい。【０００４】
ところでサーフボードのフィンは、通常は付け替え可能に構成されており、使用者の技量や好みに応じて種々の特性のフィンを取り付けることができる。一方で、フィンを付け替える場合にあっては、フィンのエッジによって作業者の手が傷付けられる場合があった。【０００５】
この点につき、サーフボードのフィンにのみカバーを被せることで、サーフボードを安全に運搬でき、かつ、手を痛めることなくフィンの着脱が可能なカバーが知られている（http://www.cap-j.com/item_detail/itemId,168/（非特許文献１）、平成３１年１月７日閲覧）。【０００６】
しかしながら、非特許文献１において開示されるカバーは、薄い素材の袋状のカバーであり、充分な厚みを持つカバーではない。したがって、着脱時にフィンが握りにくく、手の痛みの軽減や、フィンの取り扱いという観点からは不充分であった。そのため、使用者にとっての利便性をさらに改善したサーフボード用の治具が求められていた。
【発明の概要】
【発明が解決しようとする課題】
【０００７】
本発明は、上記従来技術における課題に鑑みてなされたものであり、サーフボード用の着脱可能なフィンを安全かつ容易に取り扱うことができる治具を提供することを目的とする。
【課題を解決するための手段】
【０００８】
すなわち、本発明によれば、サーフボードのフィンが挿入される、開口部を伴う空洞部と、
使用者によって把持され、前記フィンの着脱時に当該フィンと一体的に変位する把持部と
を備える、サーフボード用の治具が提供される。
【発明の効果】
【０００９】
上述したように、本発明によれば、サーフボード用の着脱可能なフィンを安全かつ容易に取り扱うことができる治具が提供される。
【図面の簡単な説明】
【００１０】
【図１】典型的なサーフボードの構造を示す図。
【図２】本実施形態のフィンカバーの構造を示す図。
【図３】本実施形態においてフィンに装着されたフィンカバーを説明する図。
【図４】本実施形態のフィンカバーの変形例を示す図。
【図５】本実施形態のフィンカバーの変形例を示す図。
【発明を実施するための形態】
【００１１】
以下、本発明を、実施形態をもって説明するが、本発明は後述する実施形態に限定されるものではない。なお、以下に参照する各図においては、共通する要素について同じ符号を用い、適宜その説明を省略するものとする。また、以下の説明においては、本発明の実施形態に係る治具を「フィンカバー」として参照するが、これ以外にも「フィンツール」などとして参照される場合もある。
【００１２】
図１は、典型的なサーフボード１００の構造を示す図である。図１（ａ）は、サーフボード１００の底面を、図１（ｂ）は、サーフボード１００の側面を、それぞれ示している。また、図１（ｃ）は、フィン２００の構造の例を示す側面図である。
【００１３】
サーフボード１００は、底面に１または２以上のフィン２００を具備する。フィン２００は、使用者の技量、好み、体形や、サーフィンを行う環境、条件などに応じた種々の特性を有する。そのため、サーフボード１００は、一般的にはフィン２００が交換可能な構成となっており、使用者はフィン２００の取り付け数や形状を選択し、交換することで、多様な滑走を楽しむことができる。
【００１４】
次に、フィン２００の形状について説明する。フィン２００の側面図の例を図１（ｃ）に示す。フィン２００の形状は、特性によって幅、高さ、厚さ、角度などに差異があるものの、概ね以下のような形状である。すなわち、一般的なフィン２００は、側面から見ると２つの湾曲した稜線を有する突起形状であって、断面にエッジを有する形状である。また、フィン２００は、サーフボード１００に取り付けるための取付部２０１を有し、取付部２０１をフィンボックスに嵌め込む構造となっている。
【００１５】
着脱式のフィン２００は、規格によってその形状が定められている。着脱式フィンの規格の一例としては、ＦＣＳ（Fin Control System）２などが挙げられる。ＦＣＳ２においては、フィン２００の取付部２０１とサーフボード１００のフィンボックス（不図示）が嵌合することで、フィン２００がサーフボード１００に固定される。サーフボード１００とフィン２００とはネジなどで固定されないため、工具が不要で、手作業によるフィン交換が可能である。
【００１６】
ところで、手作業によるフィン２００の交換では、フィン２００とサーフボード１００との嵌合を外すために、フィン２００を握る必要がある。フィン２００は、波面上を滑走するという用途から、鋭いエッジ状の断面形状を有するものがある。このような形状のフィン２００の場合には、握った際に手を傷付けやすく、また、力を加えにくいため、交換作業の効率が低下する。
【００１７】
そこで、本実施形態のフィンカバー１０は、フィン２００を安全かつ容易に取り扱うことができる形状としている。図２は、本実施形態のフィンカバー１０の構造を示す図であり、図２（ａ）は、フィンカバー１０の斜視図を示している。サーフボード１００を安全に取り扱う観点から、本実施形態のフィンカバー１０の端部は、曲線で構成される丸みを有する形状とすることが好ましい。
【００１８】
図２（ｂ）は、図２（ａ）中の矢線イに対して垂直な面で切断したフィンカバー１０を矢線イの方向から見た断面図を示している。図２（ｃ）は、図２（ａ）中の矢線ロの方向から見たフィンカバー１０の平面図をそれぞれ示している。なお、図２（ｂ）、（ｃ）における色の薄い領域は、空洞であることを示している。
【００１９】
図２（ｂ）、（ｃ）に示すように、本実施形態のフィンカバー１０は、内部が空洞となっており、フィン２００が空洞部１１に挿入される構造となっている。空洞部１１は、サーフボード１００側に開口した開口部１１ａを具備して構成される。空洞部１１の形状は、特に限定されないが、図１（ｃ）に示したような一般的なフィン２００の形状に対応し、当該フィンを収納することができる形状とすることができる。特に、フィン２００を収納した際に空洞部１１とフィン２００とが当接する形状とすることで、フィン２００の着脱作業時に、フィンカバー１０とフィン２００とを一体的に変位させることができる。
【００２０】
また、本実施形態のフィンカバー１０は、フィン２００の着脱作業を行う使用者が把持するための把持部１２を備える。把持部１２の形状は特に限定されないが、一例として図２に示すように、使用者の指が掛かりやすい複数の凹凸で構成される形状とすることができる。また、把持部１２における指や手の平が当接する部分の断面形状は、丸みを帯びた形状とすることが好ましい。このような形状とすることで、フィン２００の着脱時に握りやすくでき、また手の痛みを軽減することができる。
【００２１】
本実施形態のフィンカバー１０の素材は、特に限定されないが、ゴム、合成樹脂（プラスチック）、シリコーンなどの柔軟性のある材料を用いることが好ましい。また、これらの素材に充分な厚みを持たせて把持部１２を構成することで、フィン２００の着脱時に力を入れやすくでき、さらにフィン２００のエッジによる手の痛みを軽減することができる。
【００２２】
図３は、本実施形態においてフィン２００に装着されたフィンカバー１０を説明する図である。図３（ａ）は、本実施形態のフィンカバー１０がフィン２００に装着された状態の側面図である。図３（ａ）では、フィン２００の取付部２０１がサーフボード１００のフィンボックスに挿入され、嵌合されている。また、フィンカバー１０は、フィン２００が開口部１１ａから挿入され、空洞部１１に収納されることで、フィン２００に装着される。このようにしてフィンカバー１０がフィン２００に装着されることで、フィン２００のエッジや突端部が外部に露出せず、サーフボード１００を安全に取り扱うことができる。
【００２３】
図３（ｂ）は、本実施形態のフィンカバー１０を用いて、フィン２００をサーフボード１００から取り外す例を示している。フィン２００の着脱を行う作業者たるフィンカバー１０の使用者は、フィンカバー１０の把持部１２を握り、図３（ｂ）の矢印の方向に引く。空洞部１１は、フィン２００の形状に対応していることから、フィン２００にフィンカバー１０を装着すると、フィン２００と空洞部１１とは当接する。したがって、使用者は、把持部１２を変位させることで、フィン２００を把持部１２と一体的に変位させることができる。これによって、取付部２０１とフィンボックスとの嵌合を外すことができる。
【００２４】
また、フィン２００をサーフボード１００に取り付ける際にも、使用者は把持部１２を握りながら、フィンカバー１０とフィン２００とを一体的に変位させることで、フィン２００を取り付けることができる。
【００２５】
本実施形態のフィンカバー１０によれば、使用者は、フィン２００のエッジに触れずにフィン２００の着脱作業を行うことができる。また、フィン２００の着脱時以外であっても、本実施形態のフィンカバー１０を装着することで、サーフボード１００を安全に運搬したり保管したりできる。
【００２６】
これまで、本実施形態に係るフィンカバー１０について説明した。しかしながら、本実施形態のフィンカバー１０は、上述した実施形態に限定されない。以下では、ここまでに説明したフィンカバー１０を変形した例について説明する。図４および図５は、本実施形態のフィンカバー１０の変形例を示す図である。
【００２７】
（変形例１）
図４（ａ）は、本実施形態のフィンカバー１０の第１の変形例を示している。第１の変形例では、フィンカバー１０の孔１３を開けることで、フィンカバー１０を軽量化している。特に、フィンカバー１０の側面に孔１３を開けることによって、把持性や着脱容易性などの機能を損なうことなく、フィンカバー１０を軽量化することができる。
【００２８】
また、フィンカバー１０の側面に孔１３を設けることで、例えばフィンカバー１０を金型成形する場合において、成形したフィンカバー１０を金型から抜きやすくすることができる。なお、フィンカバー１０を作製する方法は、金型成形以外の方法であってもよく、特に限定されない。
【００２９】
（変形例２）
図４（ｂ）は、本実施形態のフィンカバー１０の第２の変形例を示している。第２の変形例では、フィンカバー１０の全長を延ばし、フィンカバー１０の先端部付近に把持部１２を設けている。このように、把持部１２を、フィン２００の先端からサーフボード１００と反対方向に突出させることで、てこの原理を利用することができる。したがって、把持性の向上に加えて、着脱に要する力を軽減できることから、さらに容易にフィン２００の着脱を行うことができる。
【００３０】
なお、第２の変形例においても、第１の変形例と同様に、フィンカバー１０の側面に孔１３を設けてもよい。
【００３１】
（変形例３）
図５は、本実施形態のフィンカバー１０の第３の変形例を示している。第３の変形例では、フィンカバー１０は、側面から見て開口部１１ａを空洞部１１側に窪ませた凹部１１ｂを有する開口部１１ａを備える構成としている。フィンカバー１０は、図５に示すように、凹部１１ｂを備えることで、フィン２００を着脱する際に、凹部１１ｂの両端をてこの支点とすることができる。これによって、フィンカバー１０とフィン２００との当接を安定させることができ、より容易にフィン２００の着脱を行うことができる。また、フィンカバー１０は、凹部１１ｂを備えることによって、使用する材料を節約でき、フィンカバー１０を軽量化することができる。
【００３２】
さらに、図５では、第２の変形例と同様に、把持部１２が突出した構成となっているが、第３の実施例では、把持部１２の手の平側の稜線に屈曲部１２ａを設ける構成としてもよい。図５に示すように屈曲部１２ａを設けることで、把持部１２の幅を端部に向かって窄ませることができる。このように、フィン２００の先端から延出した部分の把持部１２の幅を細めることで、使用者が把持部１２を把持した際に、指と手の平とを近接して握りやすくできるので、着脱の際に力を加えやすくできる。
【００３３】
なお、図５では、把持部１２の手の平側に屈曲部１２ａを設けた構造を例示しているが、特に限定するものではない。したがって、把持部１２の指側に屈曲部１２ａを設けた構造としてもよいし、手の平側と指側の両方に屈曲部１２ａを設けた構造としてもよい。
【００３４】
また、第２の変形例においても、第１の変形例と同様に、フィンカバー１０の側面に孔１３を設けてもよい。
【００３５】
ここまでに説明したフィンカバー１０は、把持しやすく、力をかけやすくできるので、フィン２００の着脱を簡便に行うことができる。また、フィン２００の着脱時以外、例えばサーフボード１００の保管時や運搬時などにおいても本実施形態のフィンカバー１０を装着することで、フィン２００の接触による怪我や事故などを防止することができる。
【００３６】
以上、説明した本発明の実施形態によれば、サーフボード用の着脱可能なフィンを安全かつ容易に取り扱うことができる治具を提供することができる。
【００３７】
以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。
【符号の説明】
【００３８】
１０…フィンカバー、
１１…空洞部、
１１ａ…開口部、
１１ｂ…凹部、
１２…把持部、
１２ａ…屈曲部
１３…孔、
１００…サーフボード、
２００…フィン、
２０１…取付部
【先行技術文献】
【特許文献】
【００３９】
【特許文献１】実開平０３−１００５９４号公報
【非特許文献】
【００４０】
【非特許文献１】http://www.cap-j.com/item_detail/itemId,168/
【図１】
2020059162.tif 000003
【図２】
2020059162.tif 000004
【図３】
2020059162.tif 000005
【図４】
2020059162.tif 000006
【図５】
2020059162.tif 000007
【国際調査報告】
2020059162.tif 000008
2020059162.tif 000009